(57)【要約】【課題】  階層構造のメニューのうち現在どの階層の処理をしているのかをユーザーが視覚により直感的に認識することができるようにする。【解決手段】  本発明の携帯端末装置１は、階層構造の各メニューの情報を記憶するメモリ６と、回転部３−１の回転により各階層のメニュー情報を選択可能で、上下左右キー３−３〜３−６の押下により各階層又は各メニュー情報を選択可能で、決定部３−２の押下により選択された各階層の各メニュー情報を決定可能なディスクジョグダイヤル部と、決定部３−２の押下により既に決定された上位階層のメニュー情報及び回転部３−１の回転により現在選択中の階層のメニュー情報を表示する表示部５と、各階層のメニュー情報を回転表示し、各階層間を移行して表示し、各階層のメニュー情報及び現在選択中の階層のメニュー情報を表示するように、表示部５に表示させるCPU２とを備えた。【選択図】        図１
2005167495.tif 000002
【特許請求の範囲】
【請求項１】
無線通信を介して入力された送信すべき情報に対して通信処理を施して送信する通信端末装置において、
階層構造の各メニューの情報を記憶する記憶手段と、
回転部の回転により各階層のメニュー情報を選択可能で、上下左右キーの押下により各階層又は各メニュー情報を選択可能で、決定部の押下により選択された各階層の各メニュー情報を決定可能な選択手段と、
上記選択手段の上記決定部の押下により既に決定された上位階層のメニュー情報及び上記選択手段の上記回転部の回転により現在選択中の階層のメニュー情報を表示する表示手段と、
上記選択手段の上記回転部の回転により各階層のメニュー情報を回転表示し、上記上下左右キーの押下により各階層の各メニュー情報間を移行して表示し、上記決定部の押下により決定された各階層のメニュー情報及び上記選択手段の上記回転部の回転により現在選択中の階層のメニュー情報を表示するように、上記表示手段に表示させる制御手段と
を備えたことを特徴とする通信端末装置。
【請求項２】
請求項１記載の通信端末装置において、
上記各階層のメニュー情報は上記表示手段に円又は多角形の筒型形状の断面で形成される各階層のリングが重なり合って表示されることを特徴とする通信端末装置。
【請求項３】
請求項１記載の通信端末装置において、
上記表示手段に上記現在選択中の階層のメニュー情報に続いて存在する下位階層のメニュー情報を表示することを特徴とする通信端末装置。
【請求項４】
請求項１記載の通信端末装置において、
上記表示手段に上記既に決定された上位階層のメニュー情報の全てを表示することを特徴とする通信端末装置。
【請求項５】
請求項４記載の通信端末装置において、
上記表示手段に上記筒型形状の断面の角度を変更することにより上記各階層のリングの表示される角度を変更可能とすることを特徴とする通信端末装置。
【請求項６】
無線通信を介して入力された送信すべき情報に対して通信処理を施して通信端末装置により送信する通信方法において、
記憶手段に記憶されている階層構造の各メニューの情報を読み出すステップと、
選択手段の回転部の回転により各階層のメニュー情報を選択し、上下左右キーの押下により各階層又は各メニュー情報を選択し、決定部の押下により選択された各階層の各メニュー情報を決定するステップと、
表示手段に上記選択手段の上記決定部の押下により既に決定された上位階層のメニュー情報及び上記選択手段の上記回転部の回転により現在選択中の階層のメニュー情報を表示するステップと、
制御手段により上記選択手段の上記回転部の回転により各階層のメニュー情報を回転表示し、上記上下左右キーの押下により各階層の各メニュー情報間を移行して表示し、上記決定部の押下により決定された各階層のメニュー情報及び上記選択手段の上記回転部の回転により現在選択中の階層のメニュー情報を表示するように、上記表示手段に表示させるステップと
を備えたことを特徴とする通信方法。
【請求項７】
請求項６記載の通信方法において、
上記各階層のメニュー情報は上記表示手段に円又は多角形の筒型形状の断面で形成される各階層のリングが重なり合って表示されることを特徴とする通信方法。
【請求項８】
請求項６記載の通信方法において、
上記表示手段に上記現在選択中の階層のメニュー情報に続いて存在する下位階層のメニュー情報を表示することを特徴とする通信方法。
【請求項９】
請求項６記載の通信方法において、
上記表示手段に上記既に決定された上位階層のメニュー情報の全てを表示することを特徴とする通信方法。
【請求項１０】
請求項７記載の通信方法において、
上記表示手段に上記筒型形状の断面の角度を変更することにより上記各階層のリングの表示される角度を変更可能とすることを特徴とする通信方法。
【発明の詳細な説明】
【技術分野】
【０００１】
本発明は、選択手段によりメニュー情報の選択が可能な通信端末装置および通信方法に関する。
【背景技術】
【０００２】
特許文献１には、メニューアイテムの選択における操作性を向上させるために、複数の６角形のメニューアイテムを円筒に沿って配置することでメニューを構築し、その円筒の中心から外周側を眺めるように、それらのメニューアイテムの一部を表示装置で表示して、コントローラを操作して、表示されるメニューアイテムを変更し、所望のメニューアイテムを画面の中心に配置させて選択し、選択されたメニューアイテムが階層を有する場合、次の階層に進み、同様に表示されたメニューアイテムのうちの１つを選択し、階層を有していない場合、そのメニューアイテムに対応する画像を表示するメニュー表示装置が開示されている。
【０００３】
特許文献２には、メニュー表示装置及びメニューの表示方法に関し、例えば車載装置におけるコンテンツの選択に適用して、所望するコンテンツ等を簡易かつ確実に選択することができるようにするために、選択可能な項目をそれぞれ表現する第１のアイコンを主の円弧上に順次配置してなる第１の表示画面と、ユーザーにより選択された第１のアイコンを移動させて表示し、主の円弧上に、ユーザーにより選択された第１のアイコンに属してなる選択可能な項目をそれぞれ表現する第２のアイコンを表示する第２の表示画面とで表示を切り換える車載装置が開示されている。
【０００４】
【特許文献１】特開平9-97154号公報
【特許文献２】特開2003-76460号公報
【発明の開示】
【発明が解決しようとする課題】
【０００５】
上述した従来の技術では、メニューをリング状に表示する点が開示されているのみであるため、メニューを順次選択して階層が深くなっていった際に現在どの階層の処理をしているのかをユーザーが認識できなくなってしまうという不都合があった。
【０００６】
そこで、本発明は、階層構造のメニューのうち現在どの階層の処理をしているのかをユーザーが視覚により直感的に認識することができるように上位及び下位の階層構造を区別して表示することが可能な通信端末装置および通信方法を提供することを課題とする。
【課題を解決するための手段】
【０００７】
上記課題を解決し、本発明の目的を達成するため、本発明の通信端末装置は、階層構造の各メニューの情報を記憶する記憶手段と、回転部の回転により各階層のメニュー情報を選択可能で、上下左右キーの押下により各階層又は各メニュー情報を選択可能で、決定部の押下により選択された各階層の各メニュー情報を決定可能な選択手段と、選択手段の決定部の押下により既に決定された上位階層のメニュー情報及び選択手段の回転部の回転により現在選択中の階層のメニュー情報を表示する表示手段と、選択手段の回転部の回転により各階層のメニュー情報を回転表示し、上下左右キーの押下により各階層の各メニュー情報間を移行して表示し、決定部の押下により決定された各階層のメニュー情報及び選択手段の回転部の回転により現在選択中の階層のメニュー情報を表示するように、表示手段に表示させる制御手段とを備えたものである。
【０００８】
これにより、表示手段には、選択手段の決定部の押下により既に決定された上位階層のメニュー情報及び選択手段の回転部の回転により現在選択中の階層のメニュー情報が表示される。このとき、各階層のメニュー情報は表示手段に円又は多角形の筒型形状の断面で形成される各階層のリングが重なり合って表示される。
【０００９】
また、本発明の通信方法は、記憶手段に記憶されている階層構造の各メニューの情報を読み出すステップと、選択手段の回転部の回転により各階層のメニュー情報を選択し、上下左右キーの押下により各階層又は各メニュー情報を選択し、決定部の押下により選択された各階層の各メニュー情報を決定するステップと、表示手段に選択手段の決定部の押下により既に決定された上位階層のメニュー情報及び選択手段の回転部の回転により現在選択中の階層のメニュー情報を表示するステップと、制御手段により選択手段の回転部の回転により各階層のメニュー情報を回転表示し、上下左右キーの押下により各階層の各メニュー情報間を移行して表示し、決定部の押下により決定された各階層のメニュー情報及び選択手段の回転部の回転により現在選択中の階層のメニュー情報を表示するように、表示手段に表示させるステップとを備えたものである。
【００１０】
これにより、表示手段には、選択手段の決定部の押下により既に決定された上位階層のメニュー情報及び選択手段の回転部の回転により現在選択中の階層のメニュー情報が表示される。このとき、各階層のメニュー情報は表示手段に円又は多角形の筒型形状の断面で形成される各階層のリングが重なり合って表示される。
【発明の効果】
【００１１】
上述した本発明により、階層構造の各メニューの情報に関連付けられた内容をユーザーが表示手段で確認しつつメニューを選択することができ、現在どの階層の処理をしているかをユーザーが視覚により直感的に認識することができるという効果を奏する。
【発明を実施するための最良の形態】
【００１２】
図１は、本発明の実施の形態の通信端末装置が適用される携帯端末装置の概観図である。
図1において、携帯端末装置１は、階層構造の各メニューの情報を記憶する図示しないメモリと、回転部３−１の回転により各階層のメニュー情報を選択可能で、上下左右キー３−３、３−４、３−５，３−６の押下により各階層又は各メニュー情報を選択可能で、決定部３−２の押下により選択された各階層の各メニュー情報を決定可能なディスクジョグダイヤル部３と、を有して構成される。
【００１３】
また、携帯端末装置１は、ディスクジョグダイヤル部３の決定部３−２の押下により既に決定された上位階層のメニュー情報及びディスクジョグダイヤル部３の回転部３−１の回転により現在選択中の階層のメニュー情報を表示する表示部５と、ディスクジョグダイヤル部３の回転部３−１の回転により各階層のメニュー情報を回転表示し、上下左右キー３−３、３−４、３−５，３−６の押下により各階層の各メニュー情報間を移行して表示し、決定部３−２の押下により決定された各階層のメニュー情報及びディスクジョグダイヤル部３の回転部３−１の回転により現在選択中の階層のメニュー情報を表示するように、表示部５に表示させるCPU２とを有して構成される。
【００１４】
CPU２は、ユーザーのディスクジョグダイヤル部３の操作により図示しないメモリに記憶されている階層構造の各メニューの情報を読み出して、読み出したメニューを円形や多角形で表示部５に表示するように構成される。ここで、各階層のメニュー情報は表示部５に円又は多角形の筒型形状の断面で形成される各階層のリングが重なり合って表示されるように構成される。
【００１５】
また、CPU２は、表示部５にディスクジョグダイヤル部３の回転部３−１の回転により現在選択中の階層のメニュー情報に続いて存在する下位階層のメニュー情報を表示するように構成される。
【００１６】
また、CPU２は、表示部５にディスクジョグダイヤル部３の決定部３−２の押下により既に決定された階層のメニュー情報の全てを表示するように構成される。
【００１７】
また、CPU２は、表示部５に筒型形状の断面の角度を変更することにより各階層のリングの表示される角度を変更可能とするように構成される。
【００１８】
図２は、本発明の実施の形態の通信端末装置が適用される携帯端末装置の構成を示すブロック図である。この携帯端末装置は、例えば、W−CDMA（Wideband‐Code Division Multiple Access）方式に適用可能な構成を想定している。
【００１９】
送信時には、通信処理部８において、レイヤ１（物理レイヤ）が処理を行うデータの基本単位（MAC（Medium Access Control）レイヤからレイヤ１にデータが転送される単位）であるトランスポートブロック（TB：Transport Block）毎にブロック誤りを検出するためのCRC（Cyclic Redundancy Check）符号を付加後、チャンネル符号化（誤り訂正符号化）及びインターリーブされる。
【００２０】
インターリーブ後のビット系列は、チャンネル推定のためのパイロットビット等のオーバーヘッドを付加された後、データ変調される。データ変調マッピングされた位相平面上の同相及び直交成分は、それぞれ２階層の拡散符号系列で拡散される。
【００２１】
拡散後のチップデータ系列は、自乗余弦ルートナイキストフィルタで５MHZ帯域に帯域制限された後、D/A変換器でアナログ信号に変換後、直交変換される。ＲＦ処理部７において直交変換された中間周波数信号はさらに２GHZ帯のRF信号に周波数変換後、電力増幅されてアンテナ１０を介して無線通信により送信される。
【００２２】
受信時には、図２において、携帯端末装置にアンテナ１０を介して無線通信により入力した受信信号は、RF処理部7において低雑音増幅器で増幅され、高周波数から中間周波数に周波数変換された後、自動利得制御増幅器で線形増幅される。
【００２３】
また、通信処理部８において、増幅後の信号は直交検波されて、同相及び直交成分を生じる。この同相及び直交成分のアナログ信号は、A/D変換器でディジタル信号に変換される。さらにディジタル値変換された同相及び直交成分はルートナイキストフィルタで帯域制限後、拡散された受信信号の拡散符号と同一の拡散符号で、逆拡散することにより、伝搬遅延時間の異なる複数のマルチパス成分に時間分離される。
【００２４】
時間分離されたパスはコヒーレントレイク合成され、レイク合成後のデータ系列は、デインターリーブ及びチャネル復号による誤り訂正復号の後、２値のデータ判定が行われ、送信データ系列が再生される。再生データ系列から各トランスポートチャネルへの分離およびブロック誤りの検出が行われ、再生データが出力される。
【００２５】
出力された再生データは制御部９の上位レイヤのアプリケーションソフトウエア処理部に転送される。ユーザーがキー入力部４にキー入力することにより、制御部９の上位レイヤのアプリケーションソフトウエア処理部は表示部５に再生データおよび再生状態の表示を行う。
【００２６】
上述した携帯端末装置の制御部９、キー入力部４及び表示部５において、本発明の実施の形態の通信装置が適用される。以下、この通信装置について説明する。
【００２７】
図3は、本発明の実施の形態の通信装置の要部を示すハードウエア構成図である。
ここで、制御部９は、CPU２及びメモリ６により構成される。メモリ６にはCPU２の動作プログラム及び処理データ、階層構造の各メニューの情報が記憶される。
【００２８】
図４は、動作を示すフローチャートである。
図4は、CPU２内でメモリ6に記憶されている動作プログラムに基づいてユーザーのディスクジョグダイヤル部３の操作によるメニュー選択表示の動作が行われる場合の処理を示すものである。
【００２９】
図4において、ステップS１で、待ち受け画面でメニュー選択表示の動作に移行する。具体的には、CPU２は、ユーザーの図示しないメニューキーの押下によりメモリ6に記憶されている動作プログラムに基づいてメニュー選択モードに移行する。
【００３０】
ステップS２で、最上位メニューの表示をする。具体的には、CPU２は、メモリ6に記憶されている階層構造の最上位のメニューの情報を読み出して、表示部５に表示する。ここで、図５の現在選択中のメニュー1及びメニュー2を表示する図で示すように、表示部５の液晶表示枠５１に表示される５３で示す最上位のメニュー１は、マイセレクト、電話、ツール、設定およびエンターテインメントなどの項目が階層構造の最上位を示す筒状の最も左側のリング上に配列される。
【００３１】
ステップS３で、ディスクジョグダイヤル部の操作によりメニューの選択がされると、選択されたメニューの上位メニューを左側に残す。具体的には、CPU２は、ディスクジョグダイヤル部３の回転部３−１の回転により図５の５２で示す現在選択中のメニュー１のマイセレクトを選択して表示色を変えて表示する。
【００３２】
このとき、図６のメニュー１配下の現在選択中のメニュー2を表示する図で示すように、表示部５の液晶表示枠６１に表示される６３で示す上位のメニュー1が存在するときは、６３で示す上位のメニュー1のリングのみ（一部のみ）が表示され、点線部分は表示されない。また、選択されたマイセレクトの項目のみを６２で示す現在選択中のメニュー２の左側に残して表示する。
【００３３】
また、図７のメニュー２配下の現在選択中のメニュー３を表示する図で示すように、表示部５の液晶表示枠７１に表示される７３で示す上位のメニュー1及び７４で示す上位のメニュー２が存在するときは、７３で示す上位のメニュー1のリングのみ（一部のみ）が表示され、点線部分は表示されない。また、選択されたマイセレクトの項目のみ及び７４で示す上位のメニュー２のリングのみと選択されたiモードの項目のみを７２で示す現在選択中のメニュー３の左側に残して表示する。
【００３４】
ステップS４で、現在選択中のメニュー配下にメニューがあるか否かを判断する。具体的には、CPU２は、現在選択中のメニューの下位にさらにメニューが存在するか否かを判断する。
【００３５】
ステップS４で現在選択中のメニュー配下にメニューがあるときは、ステップS５へ移行して、配下のメニューの表示をする。具体的には、CPU２は、ディスクジョグダイヤル部３の回転部３−１の回転により図５の５２で示す現在選択中のメニュー１の下位にさらにメニューが存在するときは、５４で示す下位のメニュー２及び５５で示す下位のメニュー３（一部のみ）が表示され、点線部分は表示されない。
【００３６】
ここで、図５の５４で示す下位のメニュー２は、アラーム、電卓、通話データ、マイピクチャ、iモード、メール、iアプリ、着信音量、着信音選択などの項目が階層構造の下位を示す筒状の５２で示す現在選択中のマイセレクトの右側のリング上に配列される。また、５５で示す下位のメニュー３は、リングのみ（一部のみ）が表示され表示され、点線部分は表示されない。
【００３７】
図６の６２で示す現在選択中のメニュー２の下位にさらにメニューが存在するときは、６５で示す下位のメニュー３を表示する。ここで、図６の６５で示す下位のメニュー３は、画像メモ、ラストURL、センター問い合わせ、iモード設定、Menu、メッセージリクエスト、メッセージフリー、インターネット、ブックマークなどの項目が階層構造の下位を示す筒状の６５で示す現在選択中のiモードの右側のリング上に配列される。また、６６で示すように、さらに下位のメニューは存在し無いので表示されない。
【００３８】
図７の７２で示す現在選択中のメニュー３のMenuには、７６で示すように、さらに下位のメニューは存在し無いので表示されない。
なお、ステップS４で現在選択中のメニュー配下にメニューがないときは、直ちにステップS７へ移行する。
【００３９】
ステップS６で、現在選択中のメニュー配下のデータを表示するか否かを判断する。具体的には、CPU２は、ディスクジョグダイヤル部３の決定部３−２の押下により現在選択中のメニュー項目が決定されたとき、表示部５に現在選択中のメニュー配下のデータを表示してステップS７へ移行し、ディスクジョグダイヤル部３の決定部３−２の押下により現在選択中のメニュー項目が決定されないとき、ステップS３へ戻ってステップS３〜ステップS６までの処理及び判断によりメニューの選択を繰り返す。
【００４０】
ステップS７で、選択中のデータに対しての作業を行う。具体的には、CPU２は、表示部５に表示されている選択中のデータに対する通信、入力、設定、表示などの動作モードに移行する。
【００４１】
なお、ステップS８で、作業を終了して、ステップS１の待ち受け画面に戻って、ステップS１〜ステップS８までの処理及び判断を繰り返す。
【００４２】
上述した図５〜図７は、携帯端末装置の通常動作のメニューの選択表示を示したがこれに限らず、以下のような各種のメニューの選択表示に適用してもよい。
【００４３】
図８は、スケジュール表示例（スケジュール構成）を示す図である。図８において、８１で示すメニュー１は、２０００年〜２００６年などの西暦の項目が階層構造の最上位を示す筒状の最も左側のリング上に配列される。次に、８２で示すメニュー２は、文月、葉月、長月、神無月、霜月などの月の項目が８１で示すメニュー１の右側の階層構造の下位を示す筒状のリング上に配列される。次に、８３で示すメニュー３は、１日〜１０日等の日の項目が８２で示すメニュー２の右側の階層構造の下位を示す筒状のリング上に配列される。次に、８４で示すメニュー４は、９月０５日、０９：３０〜１８：００、高加速度試験説明会、スケジュールアイコン、１２大会議室、０３−５７８２−５３１２、アラーム無、繰り返し無などのスケージュールの項目が８３で示すメニュー３の右側の階層構造の下位を示す筒状の最も右側のリング上に配列される。
【００４４】
図９は、スケジュール表示例（実際にデータを選択時の画面）を示す図である。図９において、９１で示す上位のメニュー1のリングのみ（一部のみ）と選択された２００３年の項目のみを９４で示す現在選択中のメニュー４の左側に残して表示する。また、９２で示す上位のメニュー２のリングのみ（一部のみ）と選択された長月の項目のみを９１で示す上位のメニュー1の右側であって９４で示す現在選択中のメニュー４の左側に残して表示する。また、９３で示す上位のメニュー３のリングのみ（一部のみ）と選択された５日の項目のみを９２で示す上位のメニュー２の右側であって９４で示す現在選択中のメニュー４の左側に残して表示する。
【００４５】
図１０は、電話帳表示例を示す図である。図１０において、１０１で示す上位のメニュー1のリングのみ（一部のみ）と１０４で示す選択されたさ行の項目のみを１０３で示す現在選択中のメニュー３の左側に残して表示する。また、１０２で示す上位のメニュー２のリングのみ（一部のみ）と１０５で示す電話帳の選択された斉藤携帯の項目のみを１０１で示す上位のメニュー1の右側であって１０３で示す現在選択中のメニュー３の左側に残して表示する。また、１０３で示す現在選択中のメニュー３は最も右側に表示する。１０３で示す現在選択中のメニュー３は、030-0000-0000、mailaddress@test○○○○.co.jp、mailaddress@△△△△△△ne.jp、東京都港区港南□ビルの項目が８３で示すメニュー３の右側の階層構造の下位を示す筒状の最も右側のリング上に配列される。ここで、１６で示すように選択中の電話帳のデータが表示色を変えて表示される。
【図面の簡単な説明】
【００４６】
【図１】本発明の実施の形態の通信装置が適用される携帯端末装置の概観図である。
【図２】携帯端末装置の構成を示すブロック図である。
【図３】要部を示すハードウエア構成図である。
【図４】動作を示すフローチャートである。
【図５】現在選択中のメニュー1及びメニュー2を表示する図である。
【図６】メニュー１配下の現在選択中のメニュー2を表示する図である。
【図７】メニュー２配下の現在選択中のメニュー３を表示する図である。
【図８】スケジュール表示例（スケジュール構成）を示す図である。
【図９】スケジュール表示例（実際にデータを選択時の画面）を示す図である。
【図１０】電話帳表示例を示す図である。
【符号の説明】
【００４７】
１…携帯端末装置、２…CPU、３…ディスクジョグダイヤル部、４…キー入力部、５…表示部、６…メモリ、７…ＲＦ処理部、８…通信処理部、９…制御部、１０…アンテナ、５１…液晶画面枠、５２…現在選択しているメニュー、５３…メニュー１、５４…メニュー２、５５…メニュー３、６１…液晶画面枠、６２…現在選択しているメニュー、６３…メニュー１（リングのみ）、６４…メニュー２、６５…メニュー３、６６…表示無（次のニューは無い）、７１…液晶画面枠、７２…現在選択しているメニュー、７３…メニュー１（リングのみ）、７４…メニュー２（リングのみ）、７５…メニュー３、７６…表示無（次のニューは無い）、８１…メニュー１、８２…メニュー２、８３…メニュー３、８４…メニュー４、９１…メニュー１（リングのみ）、９２…メニュー２（リングのみ）、９３…メニュー３（リングのみ）、９４…メニュー４、１０１…メニュー１（リングのみ）、１０２…メニュー２（リングのみ）、１０３…メニュー３、１０４…選択したあかさたな行、１０５…電話帳を選択中、１０６…選択中電話帳のデータ
【図１】
2005167495.tif 000003
【図２】
2005167495.tif 000004
【図３】
2005167495.tif 000005
【図４】
2005167495.tif 000006
【図５】
2005167495.tif 000007
【図６】
2005167495.tif 000008
【図７】
2005167495.tif 000009
【図８】
2005167495.tif 000010
【図９】
2005167495.tif 000011
【図１０】
2005167495.tif 000012